(57)【要約】【課題】簡単に、均一な固定力で取り付けることが可能になり、工事仕様の変更にも柔軟に対応でき、電線管やケーブル、配線用ボックス等を一つの金具で連結することができる一般形鋼用支持金具を提供する。【解決手段】底板１と該底板１の一端に設けた立上片２を介して設けたクリップ片３とで構成する。底板１とクリップ片３との間に一般形鋼ＰのフランジＰ１を強制的に挟着するクリップ本体１０を設ける。該クリップ本体１０に着脱自在に連結され、電線管やケーブル等の被連結部材Ｑを連結する連結具２０を設ける。連結具２０は、底板１に開穿した連結孔１Ａ，１Ｂに連結自在に設けた複数種類の連結具２０から選択自在とする。【選択図】図１
2005321065.tif 000002
【特許請求の範囲】
【請求項１】
弾性薄板で形成された底板と該底板の一端に設けた立上片を介して設けたクリップ片とで構成され、底板とクリップ片との間に一般形鋼のフランジを強制的に挟着するクリップ本体と、該クリップ本体に着脱自在に連結され、電線管やケーブル等の被連結部材を連結する連結具とからなる支持金具において、該連結具は、底板に開穿した連結孔に連結自在に設けた複数種類の連結具から選択自在としたことを特徴とする一般形鋼用支持金具。
【請求項２】
前記連結具は、前記クリップ本体の底板に開穿した連結孔に係止する係止片と、該係止片から屈曲延長されて電線管の側面を挟着固定する挟着片と、該挟着片の端部を連結する連結部材とで構成された請求項１記載の一般形鋼用支持金具。
【請求項３】
前記連結具は、前記クリップ本体の底板に開穿した連結孔に前記クリップ片がわから挿入係止するブッシング体と、該ブッシング体の突出した先端部を貫通した係止口に挿通係止する緊締紐体とで構成された請求項１記載の一般形鋼用支持金具。
【請求項４】
前記連結具は、前記クリップ本体の底板に開穿したネジ止め用の連結孔にネジ止めする止着ネジからなり、該止着ネジにて配線用ボックスを着脱自在に連結する請求項１記載の一般形鋼用支持金具。
【請求項５】
前記止着ネジは、前記クリップ本体の立上片に開穿した連結孔にネジ止めするように設けられ、該立上片に前記配線用ボックスを連結自在に設けた請求項４記載の一般形鋼用支持金具。
【発明の詳細な説明】
【技術分野】
【０００１】
本発明は、電線管やケーブル、あるいはケーブル配線用のボックス等を一般形鋼に固定する際に用いる一般形鋼用支持金具に関する。
【背景技術】
【０００２】
一般形鋼に、電線管やケーブル、ボックス等を固定する際に、従来では、特許文献１に記載された電線管等の支持金具や、特許文献２に記載された電線管等の取付金具が使用されている。
【０００３】
特許文献１に記載の支持金具は、弾性薄板で形成したクリップ本体と、二又片とから成る支持金具で、クリップ本体に設けたバネ製の押さえ片を一般形鋼に打ち付け、クリップ本体に鋲で回動自在に取付けた二又片の間に電線管等を挟着固定する金具である。
【０００４】
一方、特許文献２に記載された取付金具は、コ字状に屈曲した金具本体の上板に止着用のネジを貫通させたもので、金具内部に挿入した一般形鋼にネジ先端を圧着して固定する。この金具本体には、電線管等を連結するための取付孔が開穿されており、この取付孔にクリップ金具を装着して電線管等を連結するものである。
【特許文献１】実公昭４１−３７１８号公報
【特許文献２】実公昭５２−２５６７９号公報
【発明の開示】
【発明が解決しようとする課題】
【０００５】
特許文献１に記載された支持金具は、クリップ本体に二又片が鋲で取り付けられた一体形状を成している。このため、二又片で挟着固定する電線管等のサイズが急に変更になった場合は、変更後の電線管等を挟着固定可能なサイズの二又片を取付けた新たな支持金具を発注する必要が生じる。このように、特許文献１の支持金具は、工事仕様の変更に柔軟に対応することができない不都合があった。
【０００６】
一方、特許文献２に記載された取付金具は、コ字状に屈曲した金具本体の上板に止着用のネジを貫通させているので、一般形鋼の上部分が狭くなっているような施工場所では、金具本体の上板から上方に突出する止着用ネジを締め付ける作業が困難になる不都合が生じる。また、特許文献２では、止着用ネジを一般形鋼に締め付けて固定するので、固定力はこの緊締力の強弱によって変化することになる。このため、止着用ネジの締付作業は、熟練者と新人、あるいは、前述の如く、作業しにくい場所とそうでない場所によって、固定力にバラツキが生じる虞がある。
【０００７】
そこで、本発明は上述の課題を解消すべく創出されたもので、一般形鋼の上部分が狭くなっているような施工場所でも簡単に取り付けることができ、誰がいかなる場所で施工しても均一な固定力で取り付けることが可能になり、しかも、施工時における工事仕様の変更にも柔軟に対応でき、電線管やケーブル、配線用ボックス等を一つの金具で連結することができる一般形鋼用支持金具の提供を目的とするものである。
【課題を解決するための手段】
【０００８】
本発明の第１の手段は、弾性薄板で形成された底板１と該底板１の一端に設けた立上片２を介して設けたクリップ片３とで構成され、底板１とクリップ片３との間に一般形鋼ＰのフランジＰ１を強制的に挟着するクリップ本体１０と、該クリップ本体１０に着脱自在に連結され、電線管やケーブル等の被連結部材Ｑを連結する連結具２０とからなる支持金具において、該連結具２０は、底板１に開穿した連結孔１Ａ，１Ｂに連結自在に設けた複数種類の連結具２０から選択自在としたことにある。
【０００９】
第２の手段における前記連結具２０は、前記クリップ本体１０の底板１に開穿した連結孔１Ａに係止する係止片２１と、該係止片２１から屈曲延長されて電線管Ｑ１の側面を挟着固定する挟着片２２と、該挟着片２２の端部を連結する連結部材２３とで構成されている。
【００１０】
第３の手段の前記連結具２０は、前記クリップ本体１０の底板１に開穿した連結孔１Ａに前記クリップ片３がわから挿入係止するブッシング体２４と、該ブッシング体２４の突出した先端部を貫通した係止口２５に挿通係止する緊締紐体２６とで構成されている。
【００１１】
第４の手段の前記連結具２０は、前記クリップ本体１０の底板１に開穿したネジ止め用の連結孔１Ｂにネジ止めする止着ネジ２７からなり、該止着ネジ２７にて配線用ボックスＱ３を着脱自在に連結するものである。
【００１２】
第５の手段において、前記止着ネジ２７は、前記クリップ本体１０の立上片２に開穿した連結孔２Ａにネジ止めするように設けられ、該立上片２に前記配線用ボックスＱ３を連結自在に設けたことを課題解消のための手段とする。
【発明の効果】
【００１３】
本発明の支持金具によると、クリップ本体１０の底板１とクリップ片３との間に一般形鋼ＰのフランジＰ１を強制的に挟着するので、一般形鋼の上部分が狭くなっているような施工場所でも簡単に取り付けることができる。しかも、ハンマー等を使用して強制的に装着するので、誰がいかなる場所で施工しても均一な固定力で取り付けることが可能である。
【００１４】
また、底板１に開穿した連結孔１Ａに連結自在な複数種類の連結具２０から、電線管やケーブル等の被連結部材Ｑを連結する連結具２０選択自在に設けたことにより、施工時における工事仕様の変更にも柔軟に対応することができる。また、電線管やケーブル、配線用ボックス等を一つの金具で連結することも可能である。
【００１５】
更に、連結具２０として、前記クリップ本体１０の底板１に開穿した連結孔１Ａに係止する係止片２１と、該係止片２１から屈曲延長された挟着片２２と、該挟着片２２の端部を連結する連結部材２３とで構成することで、電線管Ｑ１などの被連結部材Ｑを着脱自在に連結することができる。
【００１６】
また、連結具２０として、クリップ本体１０の底板１に開穿した連結孔１Ａに挿入係止するブッシング体２４と、該ブッシング体２４の係止口２５に挿通係止する緊締紐体２６とで構成することで、ケーブルＱ２などの被連結部材Ｑを着脱自在に連結することができる。
【００１７】
更に、連結具２０として、クリップ本体１０の底板１に開穿したネジ止め用の連結孔１Ｂにネジ止めする止着ネジ２７を設けることで、底板１の下面に配線用ボックスＱ３を着脱自在に連結することができる。
【００１８】
また、連結具２０として、クリップ本体１０の立上片２に開穿したネジ孔１Ｃにネジ止めする止着ネジ２７を設けることで、立上片２に沿って配線用ボックスＱ３を着脱自在に連結することができる。
【００１９】
このように本発明によると、一般形鋼の上部分が狭くなっているような施工場所でも簡単に取り付けることができ、誰がいかなる場所で施工しても均一な固定力で取り付けることが可能になり、しかも、施工時における工事仕様の変更にも柔軟に対応し、電線管やケーブル、配線用ボックス等を一つの金具で連結することができるなどといった有益な種々の効果を奏するものである。
【発明を実施するための最良の形態】
【００２０】
本発明を実施するための最良の形態は、底板１とクリップ片３との間に一般形鋼ＰのフランジＰ１を強制的に挟着するクリップ本体１０と、該クリップ本体１０に着脱自在に連結され、電線管やケーブル等の被連結部材Ｑを連結する連結具２０とからなる。クリップ本体１０は、弾性薄板で形成された底板１と該底板１の一端に設けた立上片２を介して底板１と一体に設けたクリップ片３とで構成する。連結具２０は、底板１に開穿した連結孔１Ａ，１Ｂに連結自在な複数種類の連結具２０から選択自在に設けることで、当初の目的を達成するものである。
【実施例】
【００２１】
本発明支持金具の基本構成は、クリップ本体１０と連結具２０とからなる。
【００２２】
クリップ本体１０は、更に、底板１、立上片２、クリップ片３にて構成する。底板１は、一般形鋼ＰのフランジＰ１の片面に接する部分であり、立上片２は、この底板１の一端に設けられ、この立上片２を介してクリップ片３が設けられている。これらの底板１、立上片２、クリップ片３は弾性薄板で一体に設けられている。そして、底板１とクリップ片３との間に一般形鋼ＰのフランジＰ１を強制的に挟着することで、クリップ本体１０を一般形鋼Ｐに固定するものである。
【００２３】
図示の底板１には、左右両端部を上方に屈曲した屈曲片１Ｃを設けている。そして、この屈曲片１Ｃの間に、後述する連結具２０を装着するものである。また、この屈曲片１Ｃは、底板１の強度を高める効果も奏する。
【００２４】
図示の立上片２は、この立上片２を上方に延長して固定片２Ａを設け、この固定片２Ａにネジ孔２Ｂを開穿している（図１参照）。このネジ孔２Ｂは、主にタッピンネジを用いた止着ネジ２７をネジ止めするもので、この止着ネジ２７にて、図７に示す配線用ボックスＱ３を立上片２にも連結できるように設けている。
【００２５】
図示のクリップ片３には、立上片２から屈曲する部分に、複数条の補強リブ３Ａを設けることで、クリップ片３の挟着力を高めている。クリップ本体１０を一般形鋼Ｐに装着するには、底板１とクリップ片３との間に一般形鋼ＰのフランジＰ１端部を当てて、ハンマー等で立上片２部分を強く叩きつけることで強制的に挟着せしめるものであり、底板１とクリップ片３とにより、常に安定した挟着力にて固定することができる。
【００２６】
連結具２０は、クリップ本体１０に着脱自在に連結され、電線管やケーブル等の被連結部材Ｑを連結する部材である。この連結具２０は、複数種類の連結具２０から被連結部材Ｑの種類に応じて適宜選択されるものである。
【００２７】
被連結部材Ｑを電線管Ｑ１とする場合の連結具２０は、クリップ本体１０の底板１に開穿した連結孔１Ａに係止する係止片２１と、該係止片２１から屈曲延長された挟着片２２と、該挟着片２２の端部を連結する連結部材２３とで構成する（図１乃至図３参照）。図示の連結部材２３は、ボルト２３Ａとナット２３Ｂとからなる。そして、底板１の連結孔１Ａに係止片２１を係止させた状態で、挟着片２２の間に電線管Ｑ１を挟着し、ボルト２３Ａとナット２３Ｂとを緊締することで、電線管Ｑ１が固定されるものである。
【００２８】
被連結部材ＱをケーブルＱ２とする場合の連結具２０は、クリップ本体１０の底板１に開穿した連結孔１Ａに前記クリップ片３がわから挿入係止するブッシング体２４と、該ブッシング体２４の突出した先端部を貫通した係止口２５に挿通係止する緊締紐体２６とで構成する（図４乃至図６参照）。このブッシング体２４や緊締紐体２６は、ナイロン樹脂等の合成樹脂材にて形成されている。この連結具２０では、緊締紐体２６にて緊締するので、ケーブルＱ２やその他の被連結部材Ｑを連結することが可能である。
【００２９】
被連結部材Ｑを配線用ボックスＱ３とする場合の連結具２０は、止着ネジ２７を用いる。この止着ネジ２７は、配線用ボックスＱ３にネジ止めした後に、クリップ本体１０の底板１に開穿した連結孔１Ｂにネジ止めするものである（図７乃至図９参照）。
【００３０】
尚、本発明支持金具の実施例は図示例に限定されるものではなく、各構成部位における形状、寸法等の設計変更、材質の転換及び形態の変更など、本発明の技術的思想を逸脱しない範囲で自由に変更することができるものである。
【図面の簡単な説明】
【００３１】
【図１】本発明の一実施例を示す分解斜視図である。
【図２】本発明の一実施例を示す使用斜視図である。
【図３】本発明の一実施例を示す使用側面図である。
【図４】本発明の他の実施例を示す分解斜視図である。
【図５】本発明の他の実施例を示す使用斜視図である。
【図６】本発明の他の実施例を示す使用側面図である。
【図７】本発明の更に他の実施例を示す分解斜視図である。
【図８】本発明の更に他の実施例を示す使用斜視図である。
【図９】本発明の更に他の実施例を示す使用側面図である。
【符号の説明】
【００３２】
Ｐ  一般形鋼        Ｐ１  フランジ
Ｑ  被連結部材      Ｑ１  電線管
Ｑ２  ケーブル
Ｑ３  配線用ボックス
１  底板            １Ａ  連結孔
１Ｂ  連結孔
１Ｃ  屈曲片
２  立上片          ２Ａ  固定片
２Ｂ  連結孔
３  クリップ片      ３Ａ  補強リブ
１０  クリップ本体
２０  連結具
２１  係止片
２２  挟着片
２３  連結部材        ２３Ａ  ボルト
２３Ｂ  ナット
２４  ブッシング体
２５  係止口
２６  緊締紐体
２７  止着ネジ
【図１】
2005321065.tif 000003
【図２】
2005321065.tif 000004
【図３】
2005321065.tif 000005
【図４】
2005321065.tif 000006
【図５】
2005321065.tif 000007
【図６】
2005321065.tif 000008
【図７】
2005321065.tif 000009
【図８】
2005321065.tif 000010
【図９】
2005321065.tif 000011